(57)【特許請求の範囲】
【請求項１】
平坦なスラブに発泡性合成樹脂板が敷設され水勾配層が形成された陸屋根において、柄部と軸部とを有し該軸部に目盛が記された棒状の測定具を手で把持して水勾配層に貫入し、測定具の先端がスラブに接触した時点で測定具の目盛を読み取って厚さを測定することを特徴とする水勾配層の厚さ測定方法。
【請求項２】
前記スラブは、ＡＬＣパネルによって形成されていることを特徴とする請求項１に記載の水勾配層の厚さ測定方法。
【請求項３】
発泡性合成樹脂板が平坦なスラブに敷設されて片流れ屋根状あるいは両流れ屋根状の水勾配層が形成された陸屋根における絶縁工法による防水シートの施工方法であって、
水勾配層の外周部に沿って所定の間隔で複数のビス孔が穿たれた長尺防水鋼板を配置する工程と、
長尺防水鋼板のビス孔に軸方向に目盛が記された棒状の測定具を挿通するとともに水勾配層に貫入し、測定具の先端がスラブに接触した時点で測定具の目盛を読み取って水勾配層の厚さを測定する工程と、
測定された厚さに対応したビスを選択し、測定具を貫入した長尺防水鋼板のビス孔に該ビスを貫入して長尺防水鋼板を水勾配層に固定するとともに、該ビスと同じ長さのビスを用い、長尺防水鋼板のビス孔位置の高さに等しい等高線に沿って、円形防水鋼板を所定の間隔で水勾配層に固定する工程と、を有することを特徴とする防水シートの施工方法。
【発明の詳細な説明】
【技術分野】
【０００１】
本発明は、フラットなスラブに対し水勾配を有する発泡性合成樹脂板が敷設されて水勾配層が構成された陸屋根における、水勾配層の厚さ測定方法及び防水シートの施工方法に関するものである。
【背景技術】
【０００２】
従来より、例えばＡＬＣ（軽量気泡コンクリート）パネルによって形成されたフラットなスラブ（陸屋根）に防水処理を施す方法として、特許文献１に記載のように、スラブにフラットな発泡性合成樹脂板と上面に所定の角度の傾斜面が形成された発泡性合成樹脂板とを組み合わせて配置することによって片流れ屋根状あるいは両流れ屋根状に水勾配層を形成し、その上面にいわゆる絶縁工法にて防水シートを敷設する方法がある。
【０００３】
絶縁工法とは、例えば特許文献２に記載のように、所定の間隔で円形の防水鋼板（表面に防水シート片が固着された防水鋼板）をビスにて固定し、屋根周縁部には断面Ｌ字状の長尺の防水鋼板をビス固定し、これらの防水鋼板に防水シートを溶着や融着等の手段にて防水鋼板に対し固着することで、温度変化による防水シートの伸縮を許容し、防水シートの性能を維持しようとする工法である。
【０００４】
発泡性合成樹脂板にはビスが効かないので、防水鋼板の固定に使用するビスはスラブに到達させる必要がある。しかし、その際にビスがスラブを貫通、あるいはスラブ裏面が近傍まで到達してしまうと、ＡＬＣは比較的脆弱な素材であるので、スラブ裏面がビスを頂点としたすり鉢状に欠落してしまう虞がある。また、ＡＬＣパネルからなるスラブに限らず、ビスがスラブを貫通してしまうと、スラブ下の配線、配管等を傷つけてしまう虞もある。従って、ビス先端を適度な位置に留めておく必要がある。
【０００５】
上記構成の屋根の防水シートを改修する際には、既存の防水鋼板は防水シートもろとも撤去し、改めて防水鋼板を固定することになるが、この際、発泡性合成樹脂板の厚さが新築時の施工図に記載がない、あるいは施工図とは異なる厚さで施工がなされていることがあり、発泡性合成樹脂板の厚さの確認作業に手間取るという問題があった。
【０００６】
なお、特許文献３には防水シートの改修に関する記載があるが、上記課題の解決につながるものではない。
【先行技術文献】
【特許文献】
【０００７】
【特許文献１】特開平０４−０６００４７号公報
【特許文献２】特開２００８−１１５５４９号公報
【特許文献３】特開２００７−２４７２８３号公報
【発明の概要】
【発明が解決しようとする課題】
【０００８】
本発明は、このような従来技術における課題を解決するものであり、発泡性合成樹脂板からなり部位によって厚さが異なる水勾配層の厚さを容易に測定することができる厚さ測定方法、及び該厚さ測定方法を利用した防水シートの施工方法を提供せんとするものである。 
【課題を解決するための手段】
【０００９】
上記従来技術の有する課題を解決するための、本発明に係る水勾配層の厚さ測定方法は、平坦なスラブに発泡性合成樹脂板が敷設され水勾配層が形成された陸屋根において、柄部と軸部とを有し該軸部に目盛が記された棒状の測定具を手で把持して水勾配層に貫入し、測定具の先端がスラブに接触した時点で測定具の目盛を読み取って厚さを測定することを特徴としている。
また、スラブは、ＡＬＣパネルによって形成されていることを特徴としている。
【００１０】
また、本発明に係る防水シートの施工方法は、発泡性合成樹脂板が平坦なスラブに敷設されて片流れ屋根状あるいは両流れ屋根状の水勾配層が形成された陸屋根における絶縁工法による防水シートの施工方法であって、水勾配層の外周部に沿って所定の間隔で複数のビス孔が穿たれた長尺防水鋼板を配置する工程と、長尺防水鋼板のビス孔に軸方向に目盛が記された棒状の測定具を挿通するとともに水勾配層に貫入し、測定具の先端がスラブに接触した時点で測定具の目盛を読み取って水勾配層の厚さを測定する工程と、測定された厚さに対応したビスを選択し、測定具を貫入した長尺防水鋼板のビス孔に該ビスを貫入して長尺防水鋼板を水勾配層に固定するとともに、該ビスと同じ長さのビスを用い、長尺防水鋼板のビス孔位置の高さに等しい等高線に沿って、円形防水鋼板を所定の間隔で水勾配層に固定する工程と、を有することを特徴としている。 
【発明の効果】
【００１１】
本発明に係る水勾配層の厚さ測定方法によれば、場所によって厚さが異なる発泡性合成樹脂板からなる水勾配層の厚さを容易に測定し、防水鋼板の固定に必要なビスの長さを求めることができ、更に本発明に係る防水シートの施工方法によれば、水勾配層の厚さに適したビスを選択して屋根スラブ等に悪影響を与えることなく防水シートを施工することができる。 
【図面の簡単な説明】
【００１２】
【図１】防水工事着手前の屋根Ａの構成を示す平面図及び断面図である。
【図２】水勾配層の厚さの測定の様子を示す断面図である。
【図３】長尺防水鋼板及び円形防水鋼板を固定した状態を示す平面図である。
【図４】防水工事完成後の断面図である。
【発明を実施するための形態】
【００１３】
以下に本発明の一実施形態を、図を参照しながら具体的に説明する。図１に示す建物の屋根Ａは、３０５ｍｍの平面モジュールを有する鉄骨造の工業化住宅の陸屋根である。Ｈ形鋼からなる鉄骨梁１の上にＡＬＣ（軽量気泡コンクリート）からなる床パネル２が載置されて屋根のスラブＡ１が形成されており、スラブＡ１の上面には、フラットな発泡性合成樹脂板（長さ１８２０ｍｍ×幅９１０ｍｍ×厚さ２０ｍｍ）４ａと、上面に所定の角度の傾斜面が形成された２種類の発泡性合成樹脂板（長さ９１０ｍｍ×幅９１０ｍｍ×厚さ２７−３７ｍｍのタイプ、及び、長さ９１０ｍｍ×幅９１０ｍｍ×厚さ３７−４７ｍｍのタイプ）４ｂ、４ｃが組み合わされて配置され、両流れ屋根状の１００分の１強の水勾配層Ａ３が形成されている。屋根Ａの外周部からはＡＬＣからなる最上階の外壁パネル３が突出されてパラペットＡ２が形成されており、スラブＡ１の目地部分及び発泡性合成樹脂板４ａ〜ｃと外壁パネル３との間の部分にはモルタル５が充填されている。
【００１４】
上記構成の屋根Ａにおける防水工事の手順は以下の通りである（図２乃至４を参照のこと）。
（１）外周部のパラペットＡ２に沿って、断面Ｌ字状の長尺防水鋼板２１を配置する。防水鋼板とは、表面に防水シート片が固着された鋼板であり、防水シート片と防水シートとを溶着あるいは融着することによって防水シートを屋根面に貼設するものである。長尺防水鋼板２１の水平片には予め皿状のビス孔２１ａが所定の間隔で穿たれている。
【００１５】
（２）測定具Ｂを用いて長尺防水鋼板２１のビス孔２１ａ位置での水勾配層Ａ３の厚さを測定する。厚さ測定治具は、ドライバー（ねじ回し）状であり、軸部１１と柄部１２とからなる。軸部１１の最大外寸は、後述する長尺防水鋼板２１のビス孔２１ａの径よりも小さなものである。軸部１１には、先端部からの距離（＝水勾配層Ａ３の厚さ）を示す目盛１３が刻まれている。具体的な測定は、長尺防水鋼板２１のビス孔２１ａに測定具Ｂの軸部１１を挿し込んで水勾配層Ａ３に貫入し、軸部１１の先端がスラブＡ１に到達した時点で水勾配層Ａ３の表面位置が示す測定具Ｂの目盛１３を読みとることで行なう。スラブＡ１を構成する床パネル２は水勾配層Ａ３を形成する発泡性合成樹脂板４ａ〜ｃよりも硬い材質であるので、軸部１１の先端がスラブＡ１に到達したか否かは測定具Ｂを把持する手に伝わる感触で判断することができる。なお、水下側または水上側の長尺防水鋼板２１については、水勾配層Ａ３の厚さは一律なので１箇所のみを測定すればよい。
【００１６】
（３）測定具Ｂから読み取った数値に対応する長さ（水勾配層Ａ３の厚さに５０ｍｍ程度加算した長さ）のビス２３を選択し、長尺防水鋼板２１のビス孔２１ａにビス２３を挿し込み、ビス２３の先端をスラブＡ１にねじ入れることによって長尺防水鋼板２１を水勾配層Ａ３の上面に固定する。
【００１７】
（４）水勾配方向に配置され、位置によって水勾配層Ａ３の厚さが変化するビス孔２１ａと、対向する側の長尺防水鋼板２１の同じ高さのビス孔２１ａとを結ぶ墨Ｃを打つ。この墨Ｃは同一の高さを示す等高線となる。
【００１８】
（５）中心部にビス孔２２ａが穿たれた円形防水鋼板２２を、墨Ｃに沿って、同一高さの長尺防水鋼板２１のビス孔２１ａに用いたビス２３と同一長さのビス２４を用いて、所定の間隔をあけて、長尺防水鋼板２１と同様の方法で水勾配層Ａ３の上面に固定する。
【００１９】
（６）防水シート２５を長尺防水鋼板２１及び円形防水鋼板２２に溶着あるいは融着して防水層Ａ４を形成する。
【００２０】
以上、一連の手順を説明したが、水勾配層Ａ３の厚さの測定作業、長尺防水鋼板２１のビス２３での固定作業、墨Ｃを打つ作業は、水勾配方向に配置された長尺防水鋼板２１の全てのビス孔２１ａについて行う必要はなく、長尺防水鋼板２１や円形防水鋼板２２の固定間隔が、吹き上げ強度の検討等から算出された所定の値（以下）となるように行なえばよい。
【００２１】
また、測定具Ｂの軸部１１の目盛１３は、水勾配層Ａ３の厚さを示すものにかえて、水勾配層Ａ３の厚さに対応するビスの長さを示すものであってもよい。このようにすることで、所定の位置におけるビスの必要長さを直接的に求めることができる。
【００２２】
上記方法によれば、場所によって厚さが異なる水勾配層Ａ３の厚さを容易に測定し、水勾配層Ａ３の厚さに適したビス２３、２４を選択して、スラブＡ１等に悪影響を与えることなく防水シートを施工することができる。また、測定具Ｂの貫入によって形成された孔は長尺防水鋼板２１固定用のビス２３の挿入路として使用されるので、厚さを測定した後補修する必要がなく、手間を省くことができる。
【産業上の利用可能性】
【００２３】
本発明は屋根以外に、発泡性合成樹脂からなる断熱層を有する壁面等にも適用することができる。
【符号の説明】
【００２４】
Ａ  屋根
Ａ１  スラブ
Ａ２  パラペット
Ａ３  水勾配層
Ａ４  防水層
Ｂ  測定具
Ｃ  墨
１  鉄骨梁
２  床パネル
３  外壁パネル
４ａ、４ｂ、４ｃ  発泡性合成樹脂板
５  モルタル
１１  軸部
１２  柄部
１３  目盛
２１  長尺防水鋼板
２１ａ  ビス孔
２２  円形防水鋼板
２２ａ  ビス孔
２３、２４  ビス
２５  防水シート
【図１】
0005566742.tif 000002
【図２】
0005566742.tif 000003
【図３】
0005566742.tif 000004
【図４】
0005566742.tif 000005